(57)【要約】【課題】  スクリーンを有する携帯電話において、スクリーンの特定個所に外部から衝撃が加わっても、スクリーンが衝撃を受けた部分で破損しにくいようにする。【解決手段】  方形枠状のフロントケース１の上面内周部には凹部２が設けられている。凹部２の上面には天然ゴムや合成ゴム等からなる弾性部材３が一体成型により設けられている。弾性部材３の上面には強化ガラスからなるスクリーン４の下面外周部が両面接着テープ５を介して固着されている。そして、スクリーン４に外部から矢印Ａで示す衝撃が加わっても、弾性部材３の弾性変形により、スクリーン４が衝撃を受けた部分で破損しにくいようにすることができる。【選択図】図２
2013172300.tif 000002
【特許請求の範囲】
【請求項１】
方形枠状であって上面内周部に凹部を有するケースと、前記ケースの凹部に設けられた弾性部材と、下面外周部を前記弾性部材の上面に接着層を介して固着されたスクリーンとを備えていることを特徴とする携帯型電子機器。
【請求項２】
請求項１に記載の発明において、前記スクリーンは強化ガラスからなることを特徴とする携帯型電子機器。
【請求項３】
請求項１または２に記載の発明において、前記弾性部材はゴムからなり、前記ケースの凹部に一体成型により設けられていることを特徴とする携帯型電子機器。
【請求項４】
請求項１〜３のいずれかに記載の発明において、前記接着層は両面接着テープであることを特徴とする携帯型電子機器。
【請求項５】
請求項１〜４のいずれかに記載の発明において、前記スクリーンの外周部を除く下面にタッチパネルが接着層を介して設けられていることを特徴とする携帯型電子機器。
【発明の詳細な説明】
【技術分野】
【０００１】
この発明は携帯電話等の携帯型電子機器に関する。
【背景技術】
【０００２】
従来の携帯電話等の携帯型電子機器には、方形枠状のケースの上面側に、その下側に設けられる液晶表示パネル等を保護するために、方形状の強化ガラスからなるスクリーンが設けられたものがある（例えば、特許文献１参照）。特許文献１に記載の携帯型電子機器では、方形枠状のケースの上面内周部に凹部が設けられ、この凹部の上面に方形状の強化ガラスからなるスクリーンの下面外周部が両面接着テープを介して固着されている。
【先行技術文献】
【特許文献】
【０００３】
【特許文献１】特開２０１０−８５４５３号公報
【発明の概要】
【発明が解決しようとする課題】
【０００４】
ところで、上記従来の携帯型電子機器において、ケースの凹部の上面に両面接着テープを介して固着されたスクリーンの外周部の内側における部分に外部から衝撃が加わった場合には、ケースの凹部の上面に両面接着テープを介して固着されたスクリーンの外周部がほとんど変形しないため、スクリーンの衝撃を受けた部分の外側と内側との間に比較的大きな剛性差が生じ、この比較的大きな剛性差に起因して、でスクリーンが衝撃を受けた部分で破損するおそれがあるという問題がある。特に、スクリーンが強化ガラスからなる場合には、強化ガラスが脆性を有するので、スクリーンが上記衝撃を受けた部分で破損するおそれが大きくなる。また、スクリーンの外周部を除く下面にタッチパネルが接着層を介して設けられた携帯型電子機器では、タッチパネルを押圧操作するため、スクリーンを指で押圧することが多く、このときの押圧力が大きすぎると、スクリーンが上記衝撃を受けた部分で破損するおそれがある。
【０００５】
そこで、この発明は、ケースの凹部の上面に両面接着テープ（接着層）を介して固着されたスクリーンの外周部の内側における部分に外部から衝撃が加わっても、スクリーンが衝撃を受けた部分で破損しにくいようにすることができる携帯型電子機器を提供することを目的とする。
【課題を解決するための手段】
【０００６】
この発明に係る携帯型電子機器は、方形枠状であって上面内周部に凹部を有するケースと、前記ケースの凹部に設けられた弾性部材と、下面外周部を前記弾性部材の上面に接着層を介して固着されたスクリーンとを備えていることを特徴とするものである。
【発明の効果】
【０００７】
この発明によれば、ケースの凹部の上面に両面接着テープ（接着層）を介して固着されたスクリーンの外周部の内側における部分に外部から衝撃が加わっても、スクリーンが衝撃を受けた部分で破損しにくいようにすることができる。
【図面の簡単な説明】
【０００８】
【図１】この発明の第１実施形態としての携帯電話の斜視図。
【図２】図１のII−II線に沿う断面図。
【図３】図２に示す携帯電話において矢印Ａで示す衝撃が加わった場合を説明するために示す断面図。
【図４】弾性部材を備えていない場合における図３同様の断面図。
【図５】この発明の第２実施形態としての携帯電話の図２同様の断面図。
【図６】この発明の第３実施形態としての携帯電話の図２同様の断面図。
【図７】この発明の第４実施形態としての携帯電話の図２同様の断面図。
【発明を実施するための形態】
【０００９】
（第１実施形態）
図１はこの発明の第１実施形態としての携帯電話の斜視図を示し、図２は図１のII−II線に沿う断面図を示す。この携帯電話はポリカーボネート等からなる方形枠状のフロントケース１を備えている。フロントケース１の上面内周部には断面方形状の凹部２が設けられている。凹部２の上面および内壁面下部には天然ゴムや合成ゴム等からなる断面方形状で方形枠状の弾性部材３が一体成型により設けられている。
【００１０】
弾性部材３の上面には強化ガラスからなる方形状のスクリーン４の下面外周部が方形枠状の両面接着テープ５を介して固着されている。スクリーン４の外周部を除く下面にはタッチパネル６が紫外線硬化型樹脂等からなる接着層７を介して設けられている。
【００１１】
フロントケース１の内側にはステンレス鋼等からなる方形状の板金８の外周部がインサート成型により埋め込まれている。フロントケース１の下面側にはポリカーボネート等からなる方形状のリアケース９が設けられている。リアケース９の上面において板金８の下側には電池パック１０が設けられている。タッチパネル６の下側において板金８の上面には液晶表示パネルモジュール１１が設けられている。
【００１２】
さて、この携帯電話において、今、図２において矢印Ａで示すように、弾性部材３の上面に両面接着テープ５を介して固着されたスクリーン４の外周部の内側における部分に外部から衝撃が加わったとする。すると、図３に示すように、弾性部材３の上面に両面接着テープ５を介して固着されたスクリーン４の外周部が両面接着テープ５を介して弾性部材３を押圧することにより、弾性部材３が弾性変形してその上面が内側下方に向かって一様に傾斜し、この一様な傾斜に応じて弾性部材３の上面に両面接着テープ５を介して固着されたスクリーン４の外周部の内側における部分がほぼ円弧状に変形する。この結果、矢印Ａで示す衝撃を受けた部分の外側（図３において左側）における曲げ曲率と内側（図３において右側）における曲げ曲率とがほぼ等しくなり、スクリーン４ａの矢印Ａで示す衝撃を受けた部分の外側と内側との間に生じる剛性差を極力小さくすることができ、ひいてはスクリーン４が衝撃を受けた部分で破損しにくいようにすることができる。
【００１３】
これに対し、弾性部材３を備えていない場合には、図４に示すように、外部から矢印Ａで示す衝撃が加わると、フロントケース１の凹部２の上面に両面接着テープ５を介して固着されたスクリーン４の外周部がほとんど変形しないため、矢印Ａで示す衝撃を受けた部分の外側（図４において左側）における曲げ曲率が内側（図４において右側）における曲げ曲率よりも大きくなり、スクリーン４の矢印Ａで示す衝撃を受けた部分の外側と内側との間に比較的大きな剛性差が生じ、この比較的大きな剛性差に起因して、スクリーン４が衝撃を受けた部分で破損するおそれがある。
【００１４】
（第２実施形態）
図５はこの発明の第２実施形態としての携帯電話の図２同様の断面図を示す。この携帯電話において、図２に示す携帯電話と異なる点は、フロントケース１に形成する凹部２の下部を傾斜面を有する断面直角三角形状とし、この凹部２の傾斜面に断面直角三角形状の弾性部材３を一体成型し、この弾性部材３の水平な上面にスクリーン４の下面外周部を両面接着テープ５を介して固着した点である。この場合も、スクリーン４に外部から矢印Ａで示す衝撃が加わっても、弾性部材３の弾性変形により、スクリーン４が衝撃を受けた部分で破損しにくいようにすることができる。
【００１５】
（第３実施形態）
図６はこの発明の第３実施形態としての携帯電話の図２同様の断面図を示す。この携帯電話において、図２に示す携帯電話と異なる点は、フロントケース１の断面方形状の凹部２の内壁面途中に断面方形状の弾性部材３を一体成型し、この弾性部材３の上面にスクリーン４の下面外周部を両面接着テープ５を介して固着した点である。この場合も、スクリーン４に外部から矢印Ａで示す衝撃が加わっても、弾性部材３の弾性変形により、スクリーン４が衝撃を受けた部分で破損しにくいようにすることができる。
【００１６】
（第４実施形態）
図７はこの発明の第４実施形態としての携帯電話の図２同様の断面図を示す。この携帯電話において、図２に示す携帯電話と異なる点は、フロントケース１の断面方形状の凹部２の上面中央部および内壁面途中に断面Ｔ字形状の弾性部材３を一体成型し、この弾性部材３の上面にスクリーン４の下面外周部を両面接着テープ５を介して固着した点である。この場合も、スクリーン４に外部から矢印Ａで示す衝撃が加わっても、弾性部材３の弾性変形により、スクリーン４が衝撃を受けた部分で破損しにくいようにすることができる。
【００１７】
なお、スクリーン４の材料は、強化ガラスに限らず、アクリル系樹脂であってもよい。また、この発明は、携帯電話に限らず、ＰＨＳ（Personal Handy-phone System）等の携帯型通信端末機器、ＰＤＡ（Personal
Data Assistance, Personal Digital Assistance）やノートパソコン等の携帯型情報処理機器、携帯型音楽プレーヤ、デジタルカメラ等にも適用することができる。
【００１８】
以下、この発明の諸態様を付記としてまとめて記載する。
【００１９】
（付記１）
付記１の発明は、方形枠状であって上面内周部に凹部を有するケースと、前記ケースの凹部に設けられた弾性部材と、下面外周部を前記弾性部材の上面に接着層を介して固着されたスクリーンとを備えていることを特徴とする携帯型電子機器である。
【００２０】
（付記２）
付記２の発明は、付記１に記載の発明において、前記スクリーンは強化ガラスからなることを特徴とする携帯型電子機器である。
【００２１】
（付記３）
付記３の発明は、付記１または２に記載の発明において、前記弾性部材はゴムからなり、前記ケースの凹部に一体成型により設けられていることを特徴とする携帯型電子機器である。
【００２２】
（付記４）
付記４の発明は、付記１〜３のいずれかに記載の発明において、前記接着層は両面接着テープであることを特徴とする携帯型電子機器である。
【００２３】
（付記５）
付記５の発明は、付記１〜４のいずれかに記載の発明において、前記スクリーンの外周部を除く下面にタッチパネルが接着層を介して設けられていることを特徴とする携帯型電子機器である。
【符号の説明】
【００２４】
１  フロントケース
２  凹部
３  弾性部材
４  スクリーン
５  両面接着テープ
６  タッチパネル
７  接着層
８  板金
９  リアケース
１０  電池パック
１１  液晶表示パネルモジュール
【図１】
2013172300.tif 000003
【図２】
2013172300.tif 000004
【図３】
2013172300.tif 000005
【図４】
2013172300.tif 000006
【図５】
2013172300.tif 000007
【図６】
2013172300.tif 000008
【図７】
2013172300.tif 000009